(57)【要約】      （修正有）【課題】互いに異なる２点間の勾配を、指針の傾きで視覚的に示すことを可能にするアナログ式の電子時計を提供する。【解決手段】電子時計は、重力方向に垂直な水平面に対して、互いに異なる２点として、計測開始地点から現在位置までの勾配θを算出する。数値表示短針３３は、９時位置となる目盛り部材と３時位置となる目盛り部材とを結ぶ方向に平行な仮想直線Ｌ１と数値表示長針３３とがなす角度αにより、算出した勾配θを示す。【選択図】図７
2019148542.tif 000002
【特許請求の範囲】
【請求項１】
第１指針を含む表示部と、
重力方向に垂直な水平面に対して、互いに異なる２点間の勾配を算出する勾配算出部と、
を含み、
前記第１指針は、前記表示部の９時位置と３時位置とを結ぶ方向に平行な仮想直線と前記第１指針の指示する方向とのなす角度により前記勾配を示す、
ことを特徴とする電子時計。
【請求項２】
請求項１において、
前記表示部は、第２指針を含み、
前記第２指針は、前記第１指針の指示する方向と反対の方向を指示する、
ことを特徴とする電子時計。
【請求項３】
請求項１または２において、
前記２点間の高度差を算出する高度差算出部と、
前記２点間の直線距離を算出する直線距離算出部と、を備え、
前記勾配算出部は、
前記高度差と、前記直線距離とに基づいて、前記勾配を算出する、
ことを特徴とする電子時計。
【請求項４】
請求項３において、
前記表示部は、第３指針および第４指針を含み、
前記第３指針および前記第４指針で前記直線距離を指示する、
ことを特徴とする電子時計。
【請求項５】
請求項１または２において、
前記２点間の高度差を算出する高度差算出部と、
前記２点間を移動した経路において前記電子時計が移動した移動距離を算出する移動距離算出部と、を備え、
前記勾配算出部は、
前記高度差と、前記移動距離とに基づいて、前記勾配を算出する、
ことを特徴とする電子時計。
【請求項６】
請求項５において、
前記表示部は、第３指針および第４指針を含み、
前記第３指針および前記第４指針で前記移動距離を指示する、
ことを特徴とする電子時計。
【請求項７】
請求項３または５において、
前記表示部は、第３指針および第４指針を含み、
前記第３指針および前記第４指針で前記高度差を指示する、
ことを特徴とする電子時計。
【請求項８】
請求項３から７のいずれか一項において、
気圧センサーを備え、
前記高度差算出部は、
前記２点間の第１位置の気圧と第２位置の気圧とに基づいて、前記高度差を算出する、
ことを特徴とする電子時計。
【請求項９】
請求項１から８のいずれか一項において、
前記表示部は、第５指針を含み、
前記第５指針が前記電子時計の高度の単位時間当たりの変化量を指示する、
ことを特徴とする電子時計。
【請求項１０】
第１指針を含む表示部を備える電子時計の制御方法であって、
電子時計は、
重力方向に垂直な水平面に対する互いに異なる２点間の勾配を算出し、
前記表示部の９時位置と３時位置とを結ぶ方向に平行な仮想直線と前記第１指針の指示する方向とのなす角度により前記勾配を示すように前記第１指針を制御する、
ことを特徴とする電子時計の制御方法。
【発明の詳細な説明】
【技術分野】
【０００１】
本発明は、電子時計、および電子時計の制御方法に関する。
【背景技術】
【０００２】
近年、センサーが計測した情報を表示するアナログ式の電子時計が普及している。例えば、特許文献１には、指針により勾配を表示する電子時計が開示されている。
【先行技術文献】
【特許文献】
【０００３】
【特許文献１】特開２０１７‐１８１４７８号公報
【発明の概要】
【発明が解決しようとする課題】
【０００４】
しかしながら、上述した従来のアナログ式の電子時計では、ユーザーが勾配を把握するには、指針が指示する目盛りを読む必要があった。
【０００５】
本発明は、アナログ式の電子時計において、互いに異なる２点間の勾配を、指針の傾きで視覚的に示すことを解決課題の一つとする。
【課題を解決するための手段】
【０００６】
本発明の好適な態様（第１態様）にかかる電子時計は、第１指針を含む表示部と、重力方向に垂直な水平面に対して、互いに異なる２点間の勾配を算出する勾配算出部と、を含み、前記第１指針は、前記表示部の９時位置と３時位置とを結ぶ方向に平行な仮想直線と前記第１指針の指示する方向とのなす角度により前記勾配を示す。
【０００７】
重力方向に垂直な水平面を、重力方向に垂直な方向から見ると、直線となる。以上の態様では、表示部の９時位置と３時位置とを結ぶ仮想直線に平行な仮想直線を、水平面とみなしている。第１態様において第１指針は、一つの線分とみなせる。さらに、表示部の９時位置と３時位置とを結ぶ方向に平行な仮想と、線分とみなせる第１指針とのなす角度が、算出した勾配となる。
以上により、水平面とみなした仮想直線と、線分とみなせる第１指針とのなす角度が、算出した勾配と一致するため、線分とみなせる第１指針の傾きによって、水平面に対する傾きの度合い、すなわち勾配を示すことが可能になる。従って、ユーザーは、線分とみなせる第１指針の傾きを確認することにより、アナログ式の時計において、異なる２点間の勾配を指針の傾きで把握することが可能になる。
【０００８】
第１態様の好適例（第２態様）によれば、第２指針を含み、前記第２指針は、前記第１指針の指示する方向と反対の方向を指示する。
【０００９】
第２態様において、第２指針の向きが第１指針の向きとは反対となるため、第１指針および第２指針は、一つの線分とみなせる。そのため、第１指針のみで勾配を示す場合と比較して、容易に異なる２点間の勾配を指針の傾きで把握することが可能になる。
なお、平面視において、第１指針の指針軸および第２指針の指針軸は重ならなくてもよいが、第１指針の指針軸および第２指針の指針軸がより近くに位置するほど１つの線分とみなしやすくなる。従って、第１指針の指針軸および第２指針の指針軸は近くに位置するほど好ましく、重なることが最も好ましい。
【００１０】
第１態様および第２態様の好適例（第３態様）によれば、前記２点間の高度差を算出する高度差算出部と、前記２点間の直線距離を算出する直線距離算出部と、を備え、前記勾配算出部は、前記高度差と、前記直線距離とに基づいて、前記勾配を算出する。
【００１１】
高度差と直線距離とに基づき算出した勾配は、互いに異なる２点を含む平面の勾配となる。従って、以上の態様によれば、ユーザーは、互いに異なる２点を含む平面の勾配を視覚的に把握することが可能になる。
【００１２】
第３態様の好適例（第４態様）によれば、前記表示部は、第３指針および第４指針を含み、前記第３指針および前記第４指針で前記直線距離を指示する。
【００１３】
一つの指針で複数の桁の値を表示しようとすると、複数の桁の値を示す数字が配置された、大きな目盛りが必要になる。例えば、２桁の値を表示するならば、「０」から「９９」までが示された目盛りが必要になる。大きな目盛りは表示部の領域を大きく占有するため、目盛りは小さい程好ましい。これに対し、上述した態様では、第３指針および第４指針が直線距離を指示するため、「０」から「９」までが示された目盛りを用いればよく、「０」から「９９」までを示す場合と比較して、目盛りの大きさを小さくすることが可能になる。従って、上述した態様によれば、目盛りの大きさを小さくしつつ、直線距離を表示することが可能になる。
【００１４】
第１態様および第２態様の好適例（第５態様）によれば、前記２点間の高度差を算出する高度差算出部と、前記２点間を移動した経路において前記電子時計が移動した移動距離を算出する移動距離算出部と、を備え、前記勾配算出部は、前記高度差と、前記移動距離とに基づいて、前記勾配を算出する。
【００１５】
互いに異なる２点を移動する場合、２点間を一直線に移動すると、急勾配になる場合がある。この場合、互いに異なる２点間を移動する経路が、進行方向に対して斜めまたは横向きに近い方向に蛇行することによって、勾配を緩やかにすることができる。異なる２点間を移動する経路において電子時計が移動した距離と、高度差とに基づき算出した勾配は、互いに異なる２点間を移動した経路の勾配となる。従って、以上の態様によれば、ユーザーは、ユーザーが実際に移動した経路の勾配を直感的に把握することが可能になる。
【００１６】
第５態様の好適例（第６態様）によれば、前記表示部は、第３指針および第４指針を含み、前記第３指針および前記第４指針で前記移動距離を指示する。
【００１７】
上述した態様では、第３指針および第４指針が移動距離を指示するため、「０」から「９」までが示された目盛りを用いればよく、「０」から「９９」までを示す場合と比較して、目盛りの大きさを小さくすることが可能になる。従って、上述した態様によれば、目盛りの大きさを小さくしつつ、移動距離を表示することが可能になる。
【００１８】
第３態様および第５態様の好適例（第７態様）によれば、前記表示部は、第３指針および第４指針を含み、前記第３指針および前記第４指針で前記高度差を指示する。
【００１９】
上述した態様では、第３指針および第４指針が高度差を指示するため、「０」から「９」までが示された目盛りを用いればよく、「０」から「９９」までを示す場合と比較して、目盛りの大きさを小さくすることが可能になる。従って、上述した態様によれば、目盛りの大きさを小さくしつつ、高度差を表示することが可能になる。
【００２０】
第３態様から第７態様の好適例（第８態様）によれば、気圧センサーを備え、前記高度差算出部は、前記２点間の第１位置の気圧と第２位置の気圧とに基づいて、前記高度差を算出する。
【００２１】
以上の態様において、気圧から高度に変換する場合には、気圧から高度を変換する変換式に、気圧センサーが計測した第１位置における第１気圧および第２位置における第２気圧を代入することにより得ることができる。高度差を算出する他の方法としては、例えば、下記に示す２つの方法がある。第１方法では、電子時計は、ＧＰＳ（Global Positioning System）衛星等の位置情報衛星から得られる衛星信号から第１位置と現在位置とを算出し、算出した位置同士の高さ方向の距離を高度差として算出する。第２方法では、電子時計は、３軸加速度センサーから得られる３軸方向の加速度のうち高さ方向の加速度を抽出し、抽出した加速度に２階積分を施すことにより高度差を算出する。
第１方法では、位置を算出するために、少なくとも４つの衛星から衛星信号を受信し、緯度、経度、高度、および、時刻という４つの変数の値を求めなければならないため、第２態様にかかる方法より処理負荷がかかる。第２方法では、第１位置から現在位置まで加速度を計測し続けなければならないため、第２態様にかかる方法より処理負荷がかかる。以上により、第２態様によれば、第１方法および第２方法と比較して、電子時計にかかる処理負荷を軽減させることが可能になる。
【００２２】
第１態様から第８態様の好適例（第９態様）によれば、前記表示部は、第５指針を含み、前記第５指針が前記電子時計の高度の単位時間当たりの変化量を指示する。
【００２３】
以上の態様によれば、ユーザーは、互いに異なる２点間の勾配を視覚的に把握しつつ、高度の単位時間当たりの変化量を把握することが可能になる。
【００２４】
本発明の好適な態様（第１０態様）にかかる電子時計の制御方法は、第１指針を含む表示部を備える電子時計の制御方法であって、電子時計は、重力方向に垂直な水平面に対する互いに異なる２点間の勾配を算出し、前記表示部の９時位置と３時位置とを結ぶ方向に平行な仮想直線と前記第１指針の指示する方向とのなす角度により前記勾配を示すように前記第１指針を制御する。
【００２５】
以上の態様によれば、ユーザーは、第１指針の傾きを確認することにより、互いに異なる２点間の勾配を視覚的に把握することが可能になる。
【図面の簡単な説明】
【００２６】
【図１】電子時計Ｗの平面図。
【図２】電子時計Ｗの底面図。
【図３】電子時計Ｗの正面図。
【図４】電子時計Ｗの背面図。
【図５】電子時計Ｗの左側面図。
【図６】電子時計Ｗの右側面図。
【図７】２時側情報表示部３０を示す図。
【図８】電子時計Ｗの構成図。
【図９】制御部６の構成図。
【図１０】勾配θと直線距離Ｄｉｓｔとの関係を示す図。
【図１１】昇降度表示モードのフローチャートを示す図。
【図１２】気圧表示モードのフローチャートを示す図。
【図１３】第２実施形態における制御部６の構成図。
【図１４】第２実施形態における昇降度表示モードのフローチャートを示す図。
【図１５】第３実施形態における制御部６の構成図。
【図１６】直線距離Ｄｉｓｔと移動距離との関係を示す図。
【図１７】第２変形例における電子時計Ｗの平面図。
【図１８】第２変形例における制御部６の構成図。
【図１９】コンパスモードのフローチャートを示す図。
【図２０】コンパスモードにおける指針の向きの一例を示す図。
【発明を実施するための形態】
【００２７】
以下、本発明を実施するための形態について図面を参照して説明する。ただし、各図において、各部の寸法および縮尺は、実際のものと適宜に異ならせてある。また、以下に述べる実施形態は、本発明の好適な具体例であるから、技術的に好ましい種々の限定が付されているが、本発明の範囲は、以下の説明において特に本発明を限定する旨の記載がない限り、これらの形態に限られるものではない。
【００２８】
Ａ．第１実施形態
以下、第１実施形態にかかる電子時計Ｗを説明する。
【００２９】
Ａ．１．電子時計Ｗの概要
【００３０】
図１から図６に、第１実施形態における電子時計Ｗの六面図を示す。具体的には、図１に、電子時計Ｗの平面図を示す。図２に、電子時計Ｗの底面図を示す。図３に、電子時計Ｗの正面図を示す。図４に、電子時計Ｗの背面図を示す。図５に、電子時計Ｗの左側面図を示す。図６に、電子時計Ｗの右側面図を示す。電子時計Ｗは、操作ボタンＡと、操作ボタンＢと、操作ボタンＣと、竜頭Ｄと、気圧センサーケースＥと、第１バンド部Ｆと、第２バンド部Ｇと、表示部１０とを有する。図１に示すように、電子時計Ｗは、時刻を表示するアナログ式の時計である。なお、図３から図６では、図面の煩雑化を避けるために、第１バンド部Ｆと第２バンド部Ｇを省略する。
【００３１】
図１において、表示部１０の表示面における裏面から表面へと向かう方向をｚ軸正方向とする。そして、ｚ軸に直交する２軸をｘｙ軸とし、表示部１０の中心から竜頭Ｄへの方向をｘ軸正方向とする。あるいは、表示部１０の表示面の法線方向をｚ軸とし、表示面の中心から第１バンド部Ｆまたは第２バンド部Ｇへの方向をｙ軸、ｚ軸およびｙ軸と直交する軸をｘ軸とすることもできる。第１バンド部Ｆから第２バンド部Ｇに向かう方向、すなわち、ｙ軸正方向を、「１２時方向」と定義する。従って、例えば、ｙ軸負方向が「６時方向」となり、ｘ軸正方向が「３時方向」となる。図１に示した座標系は、電子時計Ｗを基準とした座標を示す電子時計Ｗのローカル座標系である。電子時計Ｗの向きが変化すると、電子時計Ｗの向きが変化に応じてｘ軸、ｙ軸、およびｚ軸の向きが変化する。
【００３２】
操作ボタンＡ、操作ボタンＢ、操作ボタンＣ、および、竜頭Ｄは、電子時計Ｗの側面に設けられる。図４および図５に示すように、操作ボタンＡには、文字「Ａ」が記載されている。同様に、図３および図５に示すように、操作ボタンＢには、文字「Ｂ」が記載されている。同様に、図３および図６に示すように、操作ボタンＣには、文字「Ｃ」が記載されている。電子時計Ｗの手引書には、操作ボタンＡ、操作ボタンＢ、および操作ボタンＣについて記載されている。ユーザーは、電子時計Ｗの手引書に記載の操作ボタンが電子時計Ｗのどの操作ボタンなのかを、操作ボタンＡ、操作ボタンＢ、および操作ボタンＣに記載された文字を閲覧することにより容易に判別することが可能である。
【００３３】
竜頭Ｄは、回転および引き出しが可能な部材である。気圧センサーケースＥは、気圧センサー４（図８参照）を収納する。第１バンド部Ｆおよび第２バンド部Ｇは、電子時計Ｗをユーザーの手首に装着するための部材である。
【００３４】
表示部１０は、文字板１０ａと、時針１１と、分針１２と、センター指針１３と、ダイヤルリング１４と、ベゼル１５と、を有する。さらに、表示部１０は、６時側に設けられた６時側情報表示部２０と、２時側に設けられた２時側情報表示部３０と、１０時側に設けられた１０時側情報表示部４０と、日にち表示部５０と、を有する。６時側情報表示部２０、２時側情報表示部３０、および、１０時側情報表示部４０には、文字板１０ａの一部が含まれる。日にち表示部５０は、６時側情報表示部２０の６時側に設けられる。
【００３５】
分針１２には、貫通孔１２ａが設けられている。貫通孔１２ａにより、６時側情報表示部２０、２時側情報表示部３０および１０時側情報表示部４０内の文字等が見え易くなり、判読性を向上させることが可能である。ダイヤルリング１４には、１２時制の目盛り１４ａが環状に形成されている。例えば、目盛り部材１４ａ９は、表示部１０の９時位置に配置されている。同様に、目盛り部材１４ａ３は、表示部１０の３時位置に配置されている。さらに、ダイヤルリング１４には、６０進数の数値を示すマス目１４ｂが配置されている。さらに、ダイヤルリング１４には、複数の数値として、「０」〜「９５」の値が示される目盛り１４ｃが配置されている。時針１１、分針１２、およびセンター指針１３は、目盛り１４ａ、マス目１４ｂ、目盛り１４ｃのそれぞれが示す数値を指示可能である。例えば、図１の例では、表示部１０は、センター指針１３がマス目１４ｂを指示することにより「３」を表示し、センター指針１３が目盛り１４ｃを指示することにより「５」を表示する。
【００３６】
ベゼル１５は、電子時計Ｗの保護および補強をする部材である。さらに、ベゼル１５には、センター指針１３が指示可能な複数のタイムゾーンが示された目盛り１５ａが配置されている。例えば、目盛り１５ａには、協定世界時（ＵＴＣ）から時差がないタイムゾーンを示す文字列「ＵＴＣ」、協定世界時から１時間早い時差を有するタイムゾーンを示す数字「１」、および、協定世界時から１時間遅い時差を有するタイムゾーンを示す数字「−１」等が記載されている。また、目盛り１５ａ内に配置された２つの数字の間に配置された記号「．」は、その２つの数字の一方が示すタイムゾーンが有する時差と、他方が示すタイムゾーンが有する時差との間の時差を有するタイムゾーンを示す。例えば、目盛り１５ａ内に配置された文字「３」と文字「４」との間の記号「．」は、協定世界時から３時間３０分早い標準時を示す。同様に、ベゼル１５内に記載された文字「５」と文字「６」との間の２つの記号「．」は、文字「５」に近い記号「．」が、協定世界時から５時間３０分早い標準時を示し、文字「６」に近い記号「．」が、協定世界時から５時間４５分早い標準時を示す。
【００３７】
６時側情報表示部２０は、モード指針２１と、目盛り２２と、インジケーター指針２５と、目盛り２６とを有する。目盛り２２には、動作モードを表す文字列と、目盛り線２４とが記載されている。電子時計Ｗは、動作モードとして、現在時刻を表示する時刻表示モードと、電子時計Ｗの高度の単位時間当たりの変化量を表示する昇降度表示モードと、北の方位を表示するコンパスモードと、電子時計Ｗの周囲の気圧を表示する気圧表示モードとを有する。以下、電子時計Ｗの高度の単位時間当たりの変化量を、「昇降度」と称する。単位時間は、例えば、１秒である。目盛り２２には、時刻表示モードを表す文字列２３ａ「ＴＩＭＥ」と、昇降度表示モードを表す文字列２３ｂ「ＡＬＴ」と、コンパスモードを表す文字列２３ｃ「ＣＯＭ」と、気圧表示モードを表す文字列２３ｄ「ＢＡＲ」が配置されている。
【００３８】
６時側情報表示部２０は、モード指針２１が文字列２３ａを指示することにより動作モードが時刻表示モードであることを表示する。また、６時側情報表示部２０は、モード指針２１が文字列２３ｂを指示することにより動作モードが昇降度表示モードであることを表示する。また、モード指針２１が文字列２３ｃを指示することにより動作モードがコンパス表示モードであることを表示する。また、モード指針２１が文字列２３ｄを指示することにより動作モードが気圧表示モードであることを表示する。
【００３９】
Ａ．１．１．時刻表示モードの概要
時刻表示モードでは、電子時計Ｗは、現在時刻を表示することができる。ユーザーにより操作ボタンＡが何度か押下されてモード指針２１が文字列２３ａを指示する場合に、電子時計Ｗは、動作モードを時刻表示モードに設定する。
【００４０】
動作モードを時刻表示モードに設定している場合に、表示部１０は、目盛り１４ａおよびマス目１４ｂを基準にして、時針１１および分針１２を用いて、現在時刻の時および分を表示する。さらに、表示部１０は、１０時側情報表示部４０によって現在時刻の秒を表示する。
【００４１】
１０時側情報表示部４０は、小秒針４１（「第５指針」の例）と、目盛り４２ｐと、目盛り４２ｍと、目盛り４２ｚと、目盛り４３と、１２時制の目盛り４４と、目盛り４５とを有する。時刻表示モードにおいて、１０時側情報表示部４０は、目盛り４４を指示することによって現在時刻の秒を表示する。図１の例では、１０時側情報表示部４０は、現在時刻の秒が３０秒であることを示す。
【００４２】
時刻表示モードにおいて、竜頭Ｄの一段引き出し操作を行うと、タイムゾーンの設定、および、サマータイムの設定を行うことが可能である。具体的には、竜頭Ｄの一段引き出し操作を行うと、センター指針１３が目盛り１５ａを指示することによって現在のタイムゾーンを表示し、小秒針４１が目盛り４５を指示することにより現在のサマータイムがＯＮかＯＦＦかを表示する。目盛り４５には、サマータイムがＯＮであることを示す文字列「ＤＳＴ（Daylight Saving Time）」と、サマータイムがＯＦＦであることを示す記号「・」が配置されている。竜頭Ｄの一段引き出し操作を行った後に、竜頭Ｄの回転操作を受け付けると、竜頭Ｄの回転操作に応じてセンター指針１３が回転する。また、竜頭Ｄの一段引き出し操作を行った後に、操作ボタンＣの所定時間以上の押下操作を受け付けると、小秒針４１が回転し、サマータイムのＯＮとＯＦＦとが切り替わる。所定時間は、例えば、３秒である。竜頭Ｄの押し込み操作を受け付けると、電子時計Ｗは、センター指針１３および小秒針４１の現在の向きに応じたタイムゾーンおよびサマータイムの設定を記憶する。
【００４３】
また、時刻表示モードにおいて、操作ボタンＢの押下操作を行うと、ＧＰＳレシーバー２（図８参照）が衛星信号を受信できた衛星の数を表示することが可能である。具体的には、小秒針４１が、衛星信号を受信できた衛星の数を指示する。
【００４４】
Ａ．１．２．昇降度表示モードの概要
昇降度表示モードでは、電子時計Ｗは、昇降度を表示することができる。ユーザーにより操作ボタンＡが何度か押下されてモード指針２１が文字列２３ｂを指示する場合に、電子時計Ｗは、動作モードを昇降度表示モードに設定する。
【００４５】
動作モードを昇降度設定モードに設定している場合に、１０時側情報表示部４０は、小秒針４１と、リング盤４１ａと、目盛り４２ｐと、目盛り４２ｍと、目盛り４２ｚと、目盛り４３を用いて、昇降度を表示する。１０時側情報表示部４０は、一般的な昇降計を模した形態である。リング盤４１ａは、３時方向で切れている。目盛り４２ｐ、目盛り４２ｍ、および目盛り４２ｚは、小秒針４１が指示可能な複数の数値として、−５から５までの実数を示す。
【００４６】
目盛り４２ｐは、複数の数値のうち正の数値の絶対値を示す数字「１」、数字「２」、数字「３」、数字「４」および数字「５」が配置されている。また、目盛り４２ｍは、複数の数値のうち負の数値の絶対値を示す数字「１」、数字「２」、数字「３」、数字「４」および数字「５」が配置されている。また、目盛り４２ｚは、複数の数値のうち０であることを示す数字「０」が配置されている。目盛り４３には、小秒針４１が指示した数値が正であることを示す正符号４３ｐ、および、小秒針４１が指示した数値が負であることを示す負符号４３ｍが配置されている。正符号４３ｐは、符号「＋」であり、負符号４３ｍは、符号「−」である。リング盤４１ａには、目盛り４２ｐ内の数字に対応した目盛り線が配置されている。
【００４７】
昇降度表示モードにおいて、目盛り４２ｐの各数字、目盛り４２ｍの各数字、および目盛り４２ｐの数字「０」は、小秒針４１に対して「ｍ／秒」の一の桁の値として使用される。図１の例では、１０時側情報表示部４０は、昇降度が−３ｍ／秒であることを示す。
【００４８】
昇降度表示モードでは、昇降度に加えて、計測開始地点（「第１位置」の例）から電子時計Ｗの現在位置までの勾配θ（図１０参照）を表示することができる。電子時計Ｗの現在位置は、「第２位置」の例である。以下、電子時計Ｗの現在位置を、単に「現在位置」と称する。勾配とは、重力方向に垂直な水平面に対する傾きの度合いである。計測開始地点は、どの位置でもよいが、例えば、出発地点、または、動作モードを昇降度設定モードに切り替えた時点の電子時計Ｗの位置である。そのため、計測開始地点と現在位置とは互いに異なる２点と定義することができる。動作モードを昇降度設定モードに設定している場合に、電子時計Ｗは、計測開始地点から現在位置までの勾配θを算出する。換言すると、電子時計Ｗは、互いに異なる２点間の勾配θを算出する。次に、電子時計Ｗは、２時側情報表示部３０を用いて、算出した勾配θを、ユーザーが視覚的に把握することが可能なように表示する。
【００４９】
図７に、２時側情報表示部３０を示す。２時側情報表示部３０には、目盛り３１ａ（「第１目盛り」の例）が配置されている。さらに、２時側情報表示部３０は、数値表示短針３２（「第２指針」の例）と、数値表示長針３３（「第１指針」の例）とを有する。目盛り３１ａは、数値表示短針３２および数値表示長針３３が指示可能な複数の数値を示す数字として、「０」から「９」までが配置されている。
【００５０】
さらに、図７では、目盛り部材１４ａ９（「９時位置」の例）と目盛り部材１４ａ３（「３時位置」の例）とを結ぶ仮想直線に平行な仮想直線Ｌ１を表示する。図７では、２時側情報表示部３０を可能な限り大きく表示するために、目盛り部材１４ａ９および目盛り部材１４ａ３の表示を省略する。電子時計Ｗは、仮想直線Ｌ１と数値表示短針３２とがなす角度αが、算出した勾配θと一致するように、かつ、数値表示長針３３の向きが数値表示短針３２の向きの反対になるように、数値表示短針３２および数値表示長針３３を制御する。角度αが、勾配θと一致するようにとは、完全に一致しなくてもよい。例えば、角度αは、数値表示短針３２が取り得る角度のうち、勾配θに最も近い角度であればよい。
【００５１】
説明を図１に戻す。
昇降度表示モードにおいて、現在の昇降度をログとして記録すること、記録したログを表示すること、および、記録したログを消去することが可能である。具体的には、操作ボタンＣの所定時間以上の押下操作を行うことにより、電子時計Ｗは、現在の昇降度をログとして記録する。記録した昇降度には、ログ番号が割り当てられる。また、操作ボタンＢの押下操作を行うことにより、小秒針４１は、目盛り４４を指示することにより、ログ番号を表示する。ログ番号の表示後、小秒針４１は、表示されたログ番号が割り当てられた昇降度を指示する。また、ログ番号の表示後に、操作ボタンＢの所定時間以上の押下操作を行うことにより、電子時計Ｗは、表示されたログ番号が割り当てられた昇降度を削除する。
【００５２】
Ａ．１．３．コンパスモードの概要
コンパスモードでは、電子時計Ｗは、地理学的な真北（以下、単に「真北」と称する）の方位を示すことができる。ユーザーにより操作ボタンＡが何度か押下されてモード指針２１が文字列２３ｃを指示する場合に、電子時計Ｗは、動作モードをコンパスモードに設定する。
【００５３】
動作モードをコンパスモードに設定している場合に、表示部１０は、３軸磁気センサー３（図８参照）によって計測された磁北の方位に基づいて、センター指針１３が真北を向くようにセンター指針１３を制御する。磁北の方位は、真北から偏角ずれているため、電子時計Ｗは、磁北の方位から偏角のずれを取り除くように補正することが好ましい。
【００５４】
コンパスモードにおいて、竜頭Ｄの一段引き出し操作を行うと、偏角の設定を行うことが可能である。具体的には、竜頭Ｄの一段引き出し操作を行うと、小秒針４１が、現在の偏角が東偏であれば正符号４３ｐを指示し、現在の偏角が西偏であれば負符号４３ｍを指示する。さらに、数値表示長針３３が、現在の偏角の百の桁の値を指示し、センター指針１３が、現在の偏角の十の位の桁の値および一の位の桁の値として使用される。竜頭Ｄの一段引き出し操作を行った後に、竜頭Ｄの回転操作を受け付けると、竜頭Ｄの回転操作に応じて、小秒針４１、数値表示長針３３、およびセンター指針１３が回転する。竜頭Ｄの押し込み操作を受け付けると、電子時計Ｗは、小秒針４１、センター指針１３、および、小秒針４１の現在の向きに応じた偏角の設定を記憶する。
【００５５】
Ａ．１．４．気圧表示モードの概要
気圧表示モードでは、電子時計Ｗは、電子時計Ｗの周囲の気圧、および、気圧の単位時間当たりの変化量の正負（以下、「気圧傾向」と称する）を示すことができる。ユーザーにより操作ボタンＡが何度か押下されてモード指針２１が文字列２３ｄを指示する場合に、電子時計Ｗは、動作モードを気圧表示モードに設定する。
【００５６】
動作モードを気圧表示モードに設定している場合に、表示部１０は、気圧センサー４が計測した気圧を、２時側情報表示部３０、センター指針１３、および目盛り１４ｃによって表示する。
【００５７】
気圧表示モードにおいて、目盛り３１ａの各数字は、数値表示短針３２に対して「ｈｐａ」の千の位の桁の値として使用され、数値表示長針３３に対して「ｈｐａ」の百の位の桁の値として使用される。さらに、目盛り１４ｃの各数値は、センター指針１３に対して「ｈｐａ」の十の位の桁の値および一の位の桁の値として使用される。
【００５８】
また、動作モードを気圧表示モードに設定している場合に、表示部１０は、気圧センサー４が計測した気圧に基づいた気圧傾向を、１０時側情報表示部４０によって表示する。具体的には、気圧傾向が正である場合、小秒針４１が正符号４３ｐを指示する。また、気圧傾向が負である場合、小秒針４１が負符号４３ｍを指示する。
【００５９】
気圧表示モードにおいて、現在の気圧をログとして記録すること、記録したログを表示すること、および、記録したログを消去することが可能である。具体的な処理については、昇降度表示モードと同一であるため、説明を省略する。
【００６０】
日にち表示部５０は、カレンダーの日にちを表示する日車５１を有する。
【００６１】
Ａ．１．５．電子時計Ｗの動作状態および電子時計Ｗの電池残量の概要
目盛り２６には、電子時計Ｗの動作状態を示す記号と、電子時計Ｗの電池残量を示す記号と、目盛り線２８とが配置されている。電子時計Ｗの動作状態として、基本動作状態と、機内動作状態とを有する。基本動作状態とは、電子時計Ｗが、現在日時を表示する他、外部からの電波を受信可能な状態である。機内動作状態とは、飛行機の機内にある場合に利用され、電波の受信が制限された状態である。目盛り２６には、基本動作状態を示す文字２７ａ「Ｍ」と、機内動作状態を示す飛行機を模したアイコン２７ｂと、電子時計Ｗの電池残量が満充電状態であることを示す文字２７ｃ「Ｆ」と、電子時計Ｗの電池残量が完全放電状態であることを示す文字２７ｄ「Ｅ」とが配置されている。
【００６２】
６時側情報表示部２０は、インジケーター指針２５が文字２７ａを指示することにより電子時計Ｗの動作状態が通常動作状態であることを表示する。また、６時側情報表示部２０は、インジケーター指針２５がアイコン２７ｂを指示することにより、電子時計Ｗの動作状態が機内動作状態であることを表示する。また、６時側情報表示部２０は、インジケーター指針２５が文字２７ｃを指示することにより、電子時計Ｗの電池残量が満充電状態であることを表示する。また、６時側情報表示部２０は、インジケーター指針２５が文字２７ｄを指示することにより、電子時計Ｗの電池残量が完全放電状態であることを表示する。
【００６３】
Ａ．１．６．電子時計Ｗ内の記号の色
電子時計Ｗ内に配置された記号の色は、白色またはオレンジ色であり、表示部１０に配置された記号の背景色（以下、「記号背景色」と称する）は、黒色である。記号には、数字、文字、文字列、マス目、および、目盛り線を含む。図１では、白色の記号を、黒の塗りつぶしにより示し、オレンジ色の記号を、白抜きにより示す。ＧＰＳレシーバー２、３軸磁気センサー３および気圧センサー４といった電子時計Ｗが有するセンサーが計測した計測結果の少なくとも一部を示す数字の色（以下、「計測結果数字色」と称する）は、白色である。計測結果には、センサーが計測した値そのものも含まれるし、計測した値に何らかの処理を施して得られた値も含まれる。時刻に関する記号の色（以下、「時刻記号色」）は、オレンジ色である。
計測結果の少なくとも一部を示す数字は、具体的には、目盛り１４ｃの数字、目盛り３１ａ内の数字、目盛り４２ｐ内の数字、目盛り４２ｍ内の数字、および目盛り４２ｚ内の数字である。目盛り１４ｃの数字は、上述したように、センター指針１３に指示されることによって、気圧センサー４が計測した計測結果となる気圧の一部を示す。同様に、目盛り３１ａ内の数字は、数値表示短針３２または数値表示長針３３に指示されることによって、気圧センサー４が計測した計測結果となる気圧の一部を示す。目盛り４２ｐ内の数字、目盛り４２ｍ内の数字、および目盛り４２ｚ内の数字は、上述したように、小秒針４１に指示されることによって、気圧センサー４が計測した計測結果となる昇降度を示す。
時刻に関する記号は、具体的には、マス目１４ｂ、目盛り１５ａ内の文字列、数字ならびに「．」、目盛り４４の数字、および、目盛り４５内の文字列ならびに記号である。
計測結果の少なくとも一部を示さず、かつ、時刻にも関しない記号の色は、白色またはオレンジ色のいずれも可能である。具体的には、文字列２３ａ、文字列２３ｂ、文字列２３ｃ、文字列２３ｄ、目盛り線２４、文字２７ａ、アイコン２７ｂ、文字２７ｃ、文字２７ｄ、目盛り線２８、操作ボタンＡの文字、操作ボタンＢの文字、および操作ボタンＣの文字は、計測結果の少なくとも一部を示す場合がなく、かつ、時刻にも関しない記号である。そして、第１実施形態では、文字列２３ａの色、文字列２３ｂの色、文字列２３ｃの色、文字列２３ｄの色、および目盛り線２４の色は白色である。文字２７ａの色、アイコン２７ｂの色、文字２７ｃの色、文字２７ｄの色、目盛り線２８の色、操作ボタンＡの文字の色、操作ボタンＢの文字の色、および操作ボタンＣの文字の色は、オレンジ色である。
また、計測結果の少なくとも一部を示す記号であっても、数字でない記号の色は、白色またはオレンジ色のいずれも可能である。計測結果の少なくとも一部を示す記号であっても数字でない記号は、正符号４３ｐおよび負符号４３ｍである。正符号４３ｐの色および負符号４３ｍの色は、オレンジ色である。
【００６４】
Ａ．１．７．電子時計Ｗ内の指針の色
電子時計Ｗが有する指針の先端部の色は、白色、オレンジ色、または黒色である。図１では、白色の先端部を、黒の塗りつぶしにより示し、オレンジ色の先端部を、網掛けにより示す。センサーが計測した計測結果に関する指針の先端部の色（以下、「計測結果指針色」と称する）は、白色となる。時刻に関する指針の先端部の色（以下、「時刻指針色」と称する）は、オレンジ色となる。
計測結果に関する指針は、具体的には、センター指針１３、数値表示短針３２、および数値表示長針３３である。センター指針１３、数値表示短針３２、および数値表示長針３３は、上述したように、気圧センサー４が計測した気圧に関する。時刻に関する指針は、具体的には、時針１１および分針１２である。
計測結果および時刻に関する指針の先端部の色は、白色またはオレンジ色のいずれも可能である。計測結果および時刻に関する指針は、小秒針４１である。
計測結果にも関しなく、かつ時刻にも関しない指針の先端部の色は、白色、オレンジ色、または黒色のいずれも可能である。計測結果にも関しなく、かつ時刻にも関しない指針は、モード指針２１およびインジケーター指針２５である。モード指針２１の先端部の色は、黒色と白色とで塗り分けられている。インジケーター指針２５の先端部の色は、オレンジ色である。
【００６５】
また、時刻に関する箇所として、日にち表示部５０の枠もオレンジ色である。図１では、日にち表示部５０の枠がオレンジ色であることを、網掛けにより示す。
【００６６】
図８に、電子時計Ｗの構成図を示す。図８において、図１から図６に示したものと同一構成のものには同一符号を付してある。
【００６７】
電子時計Ｗは、時針１１、分針１２およびセンター指針１３に関する構成として、時針１１、分針１２、センター指針１３、輪列機構２０１ならびに輪列機構２０２、ステッピングモーター３０１ならびにステッピングモーター３０２、および、モータードライバー４０１ならびにモータードライバー４０２を含む。モータードライバー４０１は、輪列機構２０１を介して時針１１と分針１２とを駆動するためにステッピングモーター３０１を駆動する。モータードライバー４０２は、輪列機構２０２を介してセンター指針１３を駆動するためにステッピングモーター３０２を駆動する。
【００６８】
電子時計Ｗは、６時側情報表示部２０に関する構成として、モード指針２１、インジケーター指針２５、輪列機構２０３ならびに輪列機構２０４、ステッピングモーター３０３ならびにステッピングモーター３０４、および、モータードライバー４０３ならびにモータードライバー４０４を含む。モータードライバー４０３は、輪列機構２０３を介してモード指針２１を駆動するためにステッピングモーター３０３を駆動する。モータードライバー４０４は、輪列機構２０４を介してインジケーター指針２５を駆動するためにステッピングモーター３０４を駆動する。
【００６９】
電子時計Ｗは、２時側情報表示部３０に関する構成として、数値表示短針３２、数値表示長針３３、輪列機構２０５、ステッピングモーター３０５、および、モータードライバー４０５を含む。モータードライバー４０５は、輪列機構２０５を介して数値表示短針３２および数値表示長針３３を駆動するためにステッピングモーター３０５を駆動する。
【００７０】
電子時計Ｗは、１０時側情報表示部４０に関する構成として、小秒針４１、輪列機構２０６、ステッピングモーター３０６、および、モータードライバー４０６を含む。モータードライバー４０６は、輪列機構２０５を介して小秒針４１を駆動するためにステッピングモーター３０６を駆動する。
【００７１】
電子時計Ｗは、日にち表示部５０に関する構成として、日車５１、輪列機構２０７、ステッピングモーター３０７、モータードライバー４０７を含む。モータードライバー４０７は、輪列機構２０７を介して日車５１を駆動するためにステッピングモーター３０７を駆動する。
【００７２】
電子時計Ｗは、さらに、発振回路１と、ＧＰＳレシーバー２と、３軸磁気センサー３と、気圧センサー４と、記憶部５と、制御部６と、３軸加速度センサー７と、操作ボタンＡと、操作ボタンＢと、操作ボタンＣと、竜頭Ｄとを含む。
【００７３】
発振回路１は、時刻を計時するために用いられるクロック信号を生成する。クロック信号の周波数は、例えば、３２．７６８ｋＨｚである。クロック信号の周波数が分周されて、周波数が１Ｈｚとなったクロック信号が、制御部６に入力される。ＧＰＳレシーバー２は、位置情報衛星の一つであるＧＰＳ衛星からの衛星信号を受信する。３軸磁気センサー３は、ｘｙｚ空間における磁北の方位を計測する。気圧センサー４は、電子時計Ｗの周囲の気圧を計測する。
【００７４】
記憶部５は、読み書き可能な不揮発性の記録媒体である。記憶部５は、例えば、フラッシュメモリーである。記憶部５は、フラッシュメモリーに限らず適宜変更可能である。記憶部５は、例えば、制御部６が実行するプログラムを記憶する。３軸加速度センサー７は、ｘｙｚ空間における電子時計Ｗの加速度の方角を計測する。
【００７５】
制御部６は、例えば、ＣＰＵ（Central Processing Unit）等のコンピューターである。制御部６は、電子時計Ｗの全体の制御を司る。制御部６の構成について、図９を用いて説明する。
【００７６】
Ａ．２．制御部６の構成
図９に、制御部６の構成図を示す。制御部６は、記憶部５に記憶されたプログラムを読み取り実行することにより、表示制御部６１と、昇降度算出部６２と、気圧傾向算出部６３と、勾配算出部６４と、高度差算出部６４１と、直線距離算出部６４２と、方位算出部６５とを実現する。以下、昇降度表示モード、コンパスモード、気圧表示モードのそれぞれについて、制御部６の構成を説明する。
【００７７】
Ａ．２．１．昇降度表示モードにおける制御部６の構成
昇降度表示モードにおいて、昇降度を表示するために、昇降度算出部６２は、気圧センサー４が計測した気圧を１秒ごとに取得する。昇降度算出部６２は、（１）式に従って、取得した気圧から高度を算出する。
【００７８】
ＡＬＴ＝１５３．８×（ｔ０＋２７３．２）×（１−（取得した気圧／Ｐ０）＾０．１９０２）＋手動オフセット値  （１）
【００７９】
ｔ０は、基準温度であり、１５度である。Ｐ０は、基準気圧であり、１０１３．２５ｈＰａである。ＡＬＴが、高度を示す。算出した高度の単位は、ｍ（メートル）である。手動オフセット値は、ユーザーが設定可能な値である。手動オフセット値を設ける理由として、（１）式の右辺における第１項のみでは、季節や気候によって高気圧になったり低気圧になったりするため、算出された高度の精度が劣化することがある。そこで、目的地Ｄｓｔの座標を設定する前に、実際の高度が判明している位置において、電子時計Ｗは、（１）式の手動オフセット値を０として、高度を算出する。その後、ユーザーは、実際の高度から、算出された高度を減じた値を、手動オフセット値として設定する。これにより、電子時計Ｗは、手動オフセット値が０である場合と比較して、より正確な高度を得ることが可能になる。
【００８０】
昇降度算出部６２は、算出した高度を記憶部５に記憶する。さらに、昇降度算出部６２は、算出した高度から、記憶部５に記憶した１秒前の高度を減じた値を昇降度として算出する。昇降度の単位は、ｍ／秒となる。昇降度算出部６２は、算出した昇降度を表示制御部６１に出力する。表示制御部６１は取得した昇降度を表示するように小秒針４１を制御する。
【００８１】
さらに、昇降度表示モードにおいて、計測開始地点から現在位置までの勾配θを表示するために、勾配算出部６４は、計測開始地点から現在位置までの勾配θを算出する。
【００８２】
勾配θの算出方法について、より詳細に説明する。
高度差算出部６４１は、計測開始地点から現在位置までの高度差ΔＡＬＴを算出する。計測開始地点から現在位置までの高度差ΔＡＬＴの算出方法は、例えば、下記に示す２つの方法がある。第１の方法として、高度差算出部６４１は、計測開始地点において、気圧センサー４から取得した計測開始地点の気圧を記憶部５に記憶する。次に、高度差算出部６４１は、現在位置において、現在位置の気圧を気圧センサー４から取得し、下記（２）式に従って、計測開始地点から現在位置までの高度差ΔＡＬＴを算出する。
【００８３】
ΔＡＬＴ＝１５３．８×（ｔ０＋２７３．２）×（（１−（現在位置の気圧／Ｐ０）＾０．１９０２）−（１−（計測開始地点の気圧／Ｐ０）＾０．１９０２））  （２）
【００８４】
ΔＡＬＴが、計測開始地点から現在位置までの高度差ΔＡＬＴである。
【００８５】
第２の方法は、高度差算出部６４１は、計測開始地点において、気圧センサー４から取得した計測開始地点の気圧から、（１）式を用いて計測開始地点の高度を算出し、算出した計測開始地点の高度を記憶部５に記憶する。次に、高度差算出部６４１は、現在位置において、現在位置の気圧を気圧センサー４から取得し、（１）式を用いて現在位置の高度を算出する。そして、高度差算出部６４１は、算出した現在位置の高度から、記憶部５に記憶した計測開始地点の高度を減じた値を、計測開始地点から現在位置までの高度差ΔＡＬＴとして算出する。以下では、高度差算出部６４１が第１の方法によって高度差ΔＡＬＴを算出する例を用いて説明する。高度差算出部６４１は、算出した高度差ΔＡＬＴを、勾配算出部６４に出力する。
【００８６】
直線距離算出部６４２は、計測開始地点から現在位置までの直線距離Ｄｉｓｔ（図１０参照）を算出する。直線距離Ｄｉｓｔの算出方法は、例えば、以下に示す２つの方法がある。直線距離Ｄｉｓｔの第１の算出方法では、高度差算出部６４１は、ＧＰＳレシーバー２から得られた衛星信号に基づいて、直線距離Ｄｉｓｔを算出する。直線距離Ｄｉｓｔの第２の算出方法では、高度差算出部６４１は、３軸加速度センサー７から得られた加速度に基づいて、直線距離Ｄｉｓｔを算出する。
【００８７】
図１０に、勾配θと直線距離Ｄｉｓｔとの関係を示す。図１０では、計測開始地点を出発地点Ｄｅｐとし、現在位置を地点ｐ１として、勾配θと直線距離Ｄｉｓｔとの関係を示す。図１０に示すように、直線距離Ｄｉｓｔ、高度差ΔＡＬＴ、および勾配θは、下記（３）式の関係にある。
【００８８】
Ｄｉｓｔ×ｓｉｎθ＝ΔＡＬＴ  （３）
【００８９】
直線距離Ｄｉｓｔの第１の算出方法について説明する。
例えば、直線距離算出部６４２は、計測開始地点において、ＧＰＳレシーバー２から得られた衛星信号に基づいて、計測開始地点の緯度、経度および高度を算出する。より具体的には、直線距離算出部６４２は、衛星信号に含まれるアルマナック（天体暦）およびエフェメリス（放送暦）等の軌道情報を取得する。次に、直線距離算出部６４２は、取得したアルマナックに基づいて衛星の概略位置を算出した後、エフェメリスに基づいて衛星の詳細な位置を算出する。さらに、直線距離算出部６４２は、算出した位置に基づいて、受信対象とする４個の衛星を決定し、決定した衛星から送信されるＲＦ（Radio Frequency）信号をそれぞれ受信し、受信したＲＦ信号を信号処理して解読することにより衛星信号を取得する。
【００９０】
直線距離算出部６４２は、衛星信号から、解析に必要なメジャメント情報を抽出する。メジャメント情報には、衛星信号を捕捉したコード位相およびドップラー周波数といった諸量および、電子時計Ｗと衛星との間の擬似距離や擬似距離変化率といった諸量が含まれる。直線距離算出部６４２は、これらのメジャメント情報を用いて、公知の位置計算および移動速度ベクトル計算を行って、計測開始地点の緯度、経度、高度を算出する。同様に、直線距離算出部６４２は、現在位置において、ＧＰＳレシーバー２から得られた衛星信号に基づいて、現在位置の緯度、経度、および高度を算出する。直線距離算出部６４２は、下記（４）式に従って、直線距離Ｄｉｓｔを算出する。
【００９１】
Ｄｉｓｔ＝（（計測開始地点の緯度−現在位置の緯度）＾２＋（計測開始地点の経度−現在位置の経度）＾２＋（計測開始地点の高度−現在位置の高度）＾２）＾０．５  （４）
【００９２】
直線距離算出部６４２は、算出した直線距離Ｄｉｓｔを、勾配算出部６４に出力する。
【００９３】
直線距離Ｄｉｓｔの第２の算出方法について説明する。高度差算出部６４１は、３軸加速度センサー７から得られる３軸方向の加速度に２階積分を施すことにより、水平面における計測開始地点からの緯度方向の移動距離、経度方向の移動距離、および高さ方向の移動距離を算出する。ここで、電子時計Ｗが、直進以外の動作を生じた場合には、電子時計Ｗがジャイロセンサーを有し、ジャイロセンサーが計測した角速度に基づいて、３軸加速度センサー７から得られる３軸方向の加速度から、緯度方向の加速度、経度方向の加速度、および高さ方向の加速度を算出することが可能である。しかしながら、移動距離に精度を要求しない場合には、ジャイロセンサーを有さなくてもよい。高度差算出部６４１は、下記（５）式に従って、直線距離Ｄｉｓｔを算出する。
【００９４】
Ｄｉｓｔ＝（緯度方向の移動距離＾２＋経度方向の移動距離＾２＋高さ方向の移動距離）＾０．５  （５）
【００９５】
直線距離算出部６４２は、算出した直線距離Ｄｉｓｔを、勾配算出部６４に出力する。
【００９６】
勾配算出部６４は、高度差算出部６４１が算出した高度差ΔＡＬＴと、直線距離算出部６４２が算出した直線距離Ｄｉｓｔとに基づいて、計測開始地点から現在位置までの勾配θを算出する。例えば、勾配算出部６４は、下記（６）式に従って、勾配θを算出する。
【００９７】
θ＝ｓｉｎ−１（ΔＡＬＴ／Ｄｉｓｔ）  （６）
【００９８】
ｓｉｎ−１（）は、逆正弦関数である。勾配算出部６４は、算出した勾配θを表示制御部６１に出力する。
【００９９】
図９の説明に戻る。
表示制御部６１は、目盛り部材１４ａ９と目盛り部材１４ａ３とを結ぶ仮想直線Ｌ１と数値表示短針３２とがなす角度が、算出した勾配θとなり、かつ、数値表示長針３３の向きが数値表示短針３２の向きの反対になるように、数値表示短針３２および数値表示長針３３を制御する。
【０１００】
Ａ．２．２．コンパスモードにおける制御部６の構成
コンパスモードにおいて、方位算出部６５は、３軸磁気センサー３が計測した磁北の方位を取得する。方位算出部６５は、取得した磁北に基づいて、真北の方位を算出する。方位算出部６５は、算出した真北の方位を表示制御部６１に出力する。表示制御部６１は、取得した真北の方位をセンター指針１３が向くように、センター指針１３を制御する。
【０１０１】
Ａ．２．３．気圧表示モードにおける制御部６の構成
気圧表示モードにおいて、気圧傾向算出部６３は、気圧センサー４が計測した気圧を１秒ごとに取得する。気圧傾向算出部６３は、取得した気圧を記憶部５に記憶する。さらに、気圧傾向算出部６３は、取得した気圧を表示制御部６１に出力する。さらに、気圧傾向算出部６３は、取得した気圧から、記憶部５に記憶した１秒前の気圧を減じた値を算出する。気圧傾向算出部６３は、算出した値が正であれば気圧傾向が正であると算出し、算出した値が負であれば気圧傾向が負であると算出する。気圧傾向算出部６３は、算出した気圧傾向を表示制御部６１に出力する。
【０１０２】
表示制御部６１は、取得した気圧を指示するように、数値表示短針３２、数値表示長針３３、およびセンター指針１３を制御する。さらに、表示制御部６１は、算出した気圧傾向を指示するように、小秒針４１を制御する。
【０１０３】
Ａ．３．各動作モードのフローチャート
昇降度表示モード、気圧表示モードのそれぞれについて、具体的なフローチャートを用いて説明する。
【０１０４】
Ａ．３．１．昇降度表示モードのフローチャート
図１１に、昇降度表示モードのフローチャートを示す。ユーザーにより操作ボタンＡが何度か押下されてモード指針２１が文字列２３ｂを指示する場合に、電子時計Ｗは、動作モードを昇降度表示モードに設定する。昇降度表示モードでは、制御部６は、現在時刻を表示するように時針１１および分針１２を制御し、センター指針１３を１２時位置で停止するように制御し、「０」を指示するように数値表示短針３２および数値表示長針３３を制御する。
【０１０５】
制御部６は、動作モードを昇降度表示モードに設定している場合に、操作ボタンＢの所定時間（例えば３秒）以上の押下操作を検出する（ステップＳ１）。所定時間は、３秒に限らず適宜変更可能である。所定時間以上の押下操作を検出すると、昇降度算出部６２は、昇降度の算出を開始する。次に、昇降度算出部６２は、気圧センサー４が計測した気圧を取得して、（１）式に従って昇降度を算出する（ステップＳ２）。そして、表示制御部６１は、算出した昇降度を指示するように、小秒針４１を制御する（ステップＳ３）。また、高度差算出部６４１は、（２）式に従って、計測開始位置から現在位置の高度差ΔＡＬＴを算出する（ステップＳ４）。また、直線距離算出部６４２は、（４）式または（５）式に従って、計測開始位置から現在位置の直線距離Ｄｉｓｔを算出する（ステップＳ５）。勾配算出部６４は、（６）式に従って、計測開始地点から現在位置までの勾配θを算出する（ステップＳ６）。そして、表示制御部６１は、算出した勾配θを指示するように、数値表示短針３２および数値表示長針３３を制御する（ステップＳ７）。
【０１０６】
次に、制御部６は、動作モードを昇降度表示モードに設定してから１分間が経過した、または、操作ボタンＢの押下操作を検出したかを判断する（ステップＳ８）。１分間が経過しておらず、かつ、操作ボタンＢの押下操作を検出していない場合（ステップＳ８：Ｎｏ）、昇降度算出部６２は、ステップＳ２の処理を、前回の実行から１秒後に実行する。一方、１分間が経過した、または操作ボタンＢの押下操作を検出した場合（ステップＳ８：Ｙｅｓ）、制御部６は、一連の処理を終了する。
【０１０７】
Ａ．３．２．気圧表示モードのフローチャート
図１２に、気圧表示モードのフローチャートを示す。ユーザーにより操作ボタンＡが何度か押下されてモード指針２１が文字列２３ｄを指示する場合に、電子時計Ｗは、動作モードを気圧表示モードに設定する。制御部６は、動作モードを気圧表示モードに設定している場合に、操作ボタンＢの所定時間以上の押下操作を検出する（ステップＳ１１）。所定時間以上の押下操作を検出すると、気圧傾向算出部６３は、気圧および気圧傾向の算出を開始する。次に、気圧傾向算出部６３は、気圧および気圧傾向を算出する（ステップＳ１２）。そして、表示制御部６１は、算出した気圧を指示するように、数値表示短針３２、数値表示長針３３、およびセンター指針１３を制御する（ステップＳ１３）。また、表示制御部６１は、算出した気圧傾向を指示するように、小秒針４１を制御する（ステップＳ１４）。
【０１０８】
そして、制御部６は、動作モードを気圧表示モードに設定してから１分間が経過した、または、操作ボタンＢの押下操作を検出したかを判断する（ステップＳ１５）。１分間が経過しておらず、かつ、操作ボタンＢの押下操作を検出していない場合（ステップＳ１５：Ｎｏ）、気圧傾向算出部６３は、ステップＳ１２の処理を、前回の実行から１秒後に実行する。一方、１分間が経過した、または操作ボタンＢの押下操作を検出した場合（ステップＳ１５：Ｙｅｓ）、制御部６は、一連の処理を終了する。
【０１０９】
Ａ．４．第１実施形態の効果
以上述べたように、電子時計Ｗは、計測開始地点から現在位置までの勾配θを視覚的に把握することが可能になる。勾配θを視覚的に把握することが可能になることについて、詳細に説明する。
水平面を、電子時計Ｗの進行方向および重力方向に垂直な方向から平面視すると、直線となる。第１実施形態では、図７に示した仮想直線Ｌ１を、平面視した場合の水平面とみなしている。さらに、本実施形態では、仮想直線Ｌ１の３時方向を、ユーザーの進行方向とみなしている。また、数値表示長針３３の向きが数値表示短針３２の向きとは反対となるため、数値表示短針３２および数値表示長針３３は、一つの線分とみなせる。さらに、仮想直線Ｌ１と、一つの線分とみなせる数値表示短針３２および数値表示長針３３とのなす角度が、算出した勾配θとなる。
以上により、水平面とみなした仮想直線Ｌ１と、一つの線分とみなせる数値表示短針３２および数値表示長針３３とのなす角度が、算出した勾配θとなるため、一つの線分とみなせる数値表示短針３２および数値表示長針３３の傾きによって、水平面に対する傾きの度合い、すなわち勾配θを示すことが可能になる。従って、ユーザーは、一つの線分とみなせる数値表示短針３２および数値表示長針３３の傾きを確認することにより、計測開始位置から現在位置までの勾配θを視覚的に把握することが可能になる。また、ユーザーは数値表示短針３２および数値表示長針３３が指示する数値を読む必要がないので、容易に勾配θを把握することが可能である。
また、第１実施形態では、数値表示短針３２および数値表示長針３３によって、計測開始位置から現在位置までの勾配θを示しつつ、時針１１および分針１２によって、時刻を示すことが可能である。
【０１１０】
また、勾配算出部６４は、高度差算出部６４１が算出した高度差ΔＡＬＴと、直線距離算出部６４２が算出した直線距離Ｄｉｓｔとに基づいて、勾配θを算出する。高度差ΔＡＬＴと直線距離Ｄｉｓｔとに基づき算出した勾配θは、計測開始位置と現在位置とを含む平面の勾配となる。従って、第１実施形態では、ユーザーは、計測開始位置と現在位置とを含む平面の勾配θを視覚的に把握することが可能になる。
【０１１１】
また、高度差算出部６４１は、計測開始地点の気圧と現在位置の気圧とに基づいて、高度差を算出する。（１）式または（２）式以外に高度差を算出する他の方法としては、例えば、下記に示す２つの方法がある。第１方法では、電子時計Ｗは、ＧＰＳ衛星等の位置情報衛星から得られる衛星信号から計測開始位置と現在位置とを算出し、算出した位置同士の高さ方向の距離を高度差として算出する。第２方法では、電子時計Ｗは、３軸加速度センサー７から得られる３軸方向の加速度のうち高さ方向の加速度を抽出し、抽出した加速度に２階積分を施すことにより高度差を算出する。
第１方法では、位置を算出するために、少なくとも４つの衛星から衛星信号を受信し、緯度、経度、高度、および、時刻という４つの変数の値を求めなければならないため、本実施形態にかかる方法より処理負荷がかかる。第２方法では、計測開始位置から現在位置まで常に加速度を計測し続けなければならないため、本実施形態にかかる方法より処理負荷がかかる。以上により、電子時計Ｗは、第１方法および第２方法と比較して、電子時計Ｗにかかる処理負荷を軽減させることが可能になる。
【０１１２】
また、表示制御部６１は、昇降度を表示する。これにより、ユーザーは、勾配θを視覚的に把握しつつ、昇降度を把握することが可能になる。昇降度を表示する理由として、例えば、ユーザーが、パラグライディングまたはハンググライディング等の航空スポーツを行っている場合、昇降度を得ることが重要であるためである。重要となる理由として、ユーザーは、判別できた昇降度を、上昇気流を探したり、下降気流を避けたりするために用いることが可能になるためである。航空スポーツを行わないユーザーであっても、ユーザーは、高速エレベーターに搭乗している場合に、昇降度を知りたいという関心を持つ場合がある。この場合に、電子時計Ｗは、ユーザーに昇降度を通知することが可能になる。
【０１１３】
また、図１で述べたように、計測結果数字色は、白色である。一方、時刻記号色は、オレンジ色である。記号背景色は、黒色である。このように、計測結果数字色と記号背景色との明度差は、時刻記号色と記号背景色との明度差より大きい。一般的に、前景色と背景色との明度差が大きいほど、前景色がより見え易くなる。計測結果と時刻とを比較すると、計測結果の方がより重要な情報である。従って、電子時計Ｗは、時刻より重要である計測結果の少なくとも一部を示す数字を、より見え易くすることが可能になる。なお、明度とは色の明るさを表す指標であり、反射率１００％の白色を明度１０として、０から１０の数値で表すことができる。明度は、色彩計や分光測色計により測定することができる。
【０１１４】
また、計測結果数字色と記号背景色との色差は、時刻記号色と記号背景色との色差より大きい。ここで、第１色と第２色との色差とは、例えば、下記（７）式により得られる。
【０１１５】
色差＝（（Ｒ２−Ｒ１）＾２＋（Ｇ２−Ｇ１）＾２＋（Ｂ２−Ｂ１）＾２）＾０．５  （７）
【０１１６】
Ｒ１、Ｇ１、Ｂ１は、それぞれ、第１色の赤の要素、第１色の緑の要素、第１色の青の要素である。同様に、Ｒ２、Ｇ２、Ｂ２は、それぞれ、第２色の赤の要素、第２色の緑の要素、第２色の青の要素である。色差は、分光測色計や色彩色差計により測定したＲ１、Ｇ１、Ｂ１、Ｒ２、Ｇ２、Ｂ２の値から算出することができる。
【０１１７】
一般的に、前景色と背景色との色差が大きいほど、前景色と背景色とが区別し易くなり、前景色が見え易くなる。従って、電子時計Ｗは、時刻より重要である計測結果の少なくとも一部を示す数字を、より見え易くすることが可能になる。
【０１１８】
また、図１で述べたように、計測結果指針色は、白色である。一方、時刻指針色は、オレンジ色である。このように、計測結果指針色と記号背景色との明度差は、時刻指針色と記号背景色との明度差より大きい。従って、電子時計Ｗは、時刻より重要である計測結果に関する指針の先端部を、より見え易くすることが可能になる。
【０１１９】
また、計測結果指針色と記号背景色との色差は、時刻指針色と記号背景色との色差より大きい。従って、電子時計Ｗは、時刻より重要である計測結果に関する指針の先端部を、より見え易くすることが可能になる。
【０１２０】
Ｂ．第２実施形態
第２実施形態における昇降度表示モードでは、時針１１（第２実施形態における「第２指針」の例）および分針１２（第２実施形態における「第１指針」の例）が勾配θを表示する。以下、第２実施形態について説明する。なお、以下に例示する各形態および各変形例において作用や機能が第１実施形態と同様である要素については、第１実施形態で使用した符号を流用して各々の詳細な説明を適宜に省略する。さらに、以下に示す要素については、説明の省略のため、特に記載がない場合、第２実施形態に関する要素であるとする。
【０１２１】
Ｂ．１．制御部６の構成
図１３に、制御部６の構成図を示す。記憶部５に記憶されたプログラムを読み取り実行することにより、表示制御部６１と、昇降度算出部６２と、気圧傾向算出部６３と、勾配算出部６４と、高度差算出部６４１と、直線距離算出部６４２と、方位算出部６５とを実現する。以下、昇降度表示モードにおいて、第１実施形態と異なる構成について説明を行う。
【０１２２】
Ｂ．１．１．昇降度表示モードにおける制御部６の構成
昇降度表示モードにおいて、直線距離算出部６４２は、算出した直線距離Ｄｉｓｔを、勾配算出部６４に出力するとともに、表示制御部６１に出力する。表示制御部６１は、数値表示短針３２（「第３指針」の例）および数値表示長針３３（「第４指針」の例）が、直線距離Ｄｉｓｔのそれぞれの桁の値を指示するように、数値表示短針３２および数値表示長針３３を制御する。
【０１２３】
Ｂ．２．動作モードのフローチャート
次に、昇降度表示モードについて、具体的なフローチャートを用いて説明する。
【０１２４】
Ｂ．２．１．昇降度表示モードのフローチャート
図１４に、昇降度表示モードのフローチャートを示す。図１４に示すフローチャートの各ステップのうち、ステップＳ２１〜ステップＳ２６は、図１１に示したステップＳ１〜ステップＳ６の処理と同一であるため、説明を省略する。
【０１２５】
ステップＳ２６の処理終了後、表示制御部６１は、算出した勾配θを指示するように、時針１１および分針１２を制御する（ステップＳ２７）。また、表示制御部６１は、算出した直線距離Ｄｉｓｔのそれぞれの桁の値を指示するように、数値表示短針３２および数値表示長針３３を制御する（ステップＳ２８）。
【０１２６】
次に、制御部６は、動作モードを昇降度表示モードに設定してから１分間が経過した、または、操作ボタンＢの押下操作を検出したかを判断する（ステップＳ２９）。１分間が経過しておらず、かつ、操作ボタンＢの押下操作を検出していない場合（ステップＳ２９：Ｎｏ）、昇降度算出部６２は、ステップＳ２２の処理を、前回の実行から１秒後に実行する。一方、１分間が経過した、または操作ボタンＢの押下操作を検出した場合（ステップＳ２９：Ｙｅｓ）、制御部６は、一連の処理を終了する。
【０１２７】
Ｂ．３．第２実施形態の効果
以上述べたように、数値表示短針３２および数値表示長針３３が直線距離Ｄｉｓｔのそれぞれの桁の値を指示する。通常、一つの指針で複数の桁の値を表示しようとすると、複数の桁の値を示す数字が配置された、大きな目盛りが必要になる。例えば、２桁の値を表示するならば、「０」から「９９」までが示された目盛りが必要になる。大きな目盛りは表示部１０の領域を大きく占有するため、目盛りは小さい程好ましい。これに対し、第２実施形態では、数値表示短針３２および数値表示長針３３が直線距離Ｄｉｓｔのそれぞれの桁の値を指示するため、「０」から「９」までが示された目盛り３１ａを用いればよく、「０」から「９９」までを示す場合と比較して、目盛り３１ａの大きさを小さくすることが可能になる。従って、目盛り３１ａの大きさを小さくしつつ、直線距離Ｄｉｓｔの複数の桁の値を表示することが可能になる。
【０１２８】
Ｃ．第３実施形態
第３実施形態における昇降度表示モードでは、第２実施形態において用いられた直線距離Ｄｉｓｔの代わりに、計測開始位置から現在位置に至る経路において電子時計Ｗが移動した距離（以下、「移動距離」と称する）を用いて、勾配θを算出する。以下、第３実施形態について説明する。第３実施形態では、第２実施形態と同様に、時針１１（第３実施形態における「第２指針」の例）および分針１２（第３実施形態における「第１指針」の例）が勾配θを表示する。なお、以下に例示する各形態および各変形例において作用や機能が第１実施形態または第２実施形態と同様である要素については、第１実施形態または第２実施形態で使用した符号を流用して各々の詳細な説明を適宜に省略する。さらに、以下に示す要素については、説明の省略のため、特に記載がない場合、第３実施形態に関する要素であるとする。
【０１２９】
Ｃ．１．制御部６の構成
図１５に、制御部６の構成図を示す。記憶部５に記憶されたプログラムを読み取り実行することにより、表示制御部６１と、昇降度算出部６２と、気圧傾向算出部６３と、勾配算出部６４と、高度差算出部６４１と、移動距離算出部６４３と、方位算出部６５とを実現する。以下、昇降度表示モードにおいて、第２実施形態と異なる構成について説明を行う。
【０１３０】
Ｃ．１．１．昇降度表示モードにおける制御部６の構成
昇降度表示モードにおいて、移動距離算出部６４３は、移動距離を算出する。移動距離の算出方法として、移動距離算出部６４３は、計測開始地点から、計測開始地点に電子時計Ｗが位置する計測開始時刻から単位時間後の第１時刻に電子時計Ｗが位置する第１位置までの第１直線距離を算出する。さらに、移動距離算出部６４３は、第１位置から、第１時刻から単位時間後の第２時刻に電子時計Ｗが位置する第２位置までの第２直線距離を算出する。移動距離算出部６４３は、電子時計Ｗの現在位置に到達するまで、換言すると、ユーザーの操作によって動作モードが昇降度表示モードとなり、勾配θを表示することが必要になるまで、前述した直線距離を算出する処理を繰り返す。そして、勾配θを表示することが必要になった場合に、移動距離算出部６４３は、算出した第１直線距離から第ｎ直線距離までを累積加算して得られた値を、移動距離として算出する。ｎは、自然数である。移動距離算出部６４３は、算出した移動距離を、勾配算出部６４および表示制御部６１に出力する。
【０１３１】
勾配算出部６４は、（６）式の直線距離Ｄｉｓｔの代わりに移動距離を代入することにより、勾配θを算出する。
【０１３２】
表示制御部６１は、数値表示短針３２および数値表示長針３３が、移動距離のそれぞれの桁の値を指示するように、数値表示短針３２および数値表示長針３３を制御する。
【０１３３】
Ｃ．２．動作モードのフローチャート
昇降度表示モードのフローチャートは、第２実施形態のフローチャートとほぼ同一であるため、図示を省略する。異なる点は、ステップＳ２５およびステップＳ２８の「直線距離」が、「移動距離」に代わるのみである。
【０１３４】
Ｃ．３．第３実施形態の効果
図１６に、直線距離Ｄｉｓｔと移動距離との関係を示す。図１６には、計測開始地点として出発地点Ｄｅｐと、現在位置として地点ｐ１とを示す。さらに、図１６には、出発地点Ｄｅｐと地点ｐ１との直線距離Ｄｉｓｔ、および、出発地点Ｄｅｐから地点ｐ１までに至る経路Ｒｔを示す。図１６に示すように、出発地点Ｄｅｐから地点ｐ１に至る場合、出発地点Ｄｅｐから地点ｐ１まで一直線に向かうと、急勾配になる場合がある。この場合、経路Ｒｔのように、進行方向に対して斜めまたは横向きに近い方向に蛇行することによって、勾配を緩やかにすることができる。経路Ｒｔにおいて電子時計Ｗが移動した移動距離と、高度差ΔＡＬＴとに基づき算出した勾配θは、経路Ｒｔの勾配となる。従って、第３実施形態によれば、ユーザーは、ユーザーが実際に移動した経路Ｒｔの勾配θを視覚的に把握することが可能になる。
【０１３５】
また、実施形態３では、数値表示短針３２および数値表示長針３３が移動距離のそれぞれの桁の値を指示する。通常、一つの指針で複数の桁の値を表示しようとすると、複数の桁の値を示す数字が配置された、大きな目盛りが必要になる。例えば、２桁の値を表示するならば、「０」から「９９」までが示された目盛りが必要になる。これに対し、第３実施形態では、数値表示短針３２および数値表示長針３３が移動距離のそれぞれの桁の値を指示するため、「０」から「９」までが示された目盛り３１ａを用いればよく、「０」から「９９」までを示す場合と比較して、目盛り３１ａの大きさを小さくすることが可能になる。従って、目盛り３１ａの大きさを小さくしつつ、移動距離の複数の桁の値を表示することが可能になる。
【０１３６】
Ｄ．変形例
以上の各形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【０１３７】
Ｄ．１．第１変形例
第２実施形態では、数値表示短針３２および数値表示長針３３は、直線距離Ｄｉｓｔのそれぞれの桁の値を指示したが、これに限らない。例えば、数値表示短針３２および数値表示長針３３は、高度差算出部６４１が算出した高度差ΔＡＬＴのそれぞれの桁の値を指示してもよい。
これにより、数値表示短針３２および数値表示長針３３が高度差ΔＡＬＴのそれぞれの桁の値を指示するため、「０」から「９」までが示された目盛りを用いればよく、「０」から「９９」までを示す場合と比較して、目盛りの大きさを小さくすることが可能になる。従って、上述した変形例では、目盛りの大きさを小さくしつつ、高度差ΔＡＬＴの複数の桁の値を表示することが可能になる。
【０１３８】
Ｄ．２．第２変形例
以上の各形態におけるコンパスモードでは、真北の方位を示すことができた。一方、第２変形例におけるコンパスモードでは、真北の方位を示すことに加えて、ウェイポイントＷｐｔ（図１９参照）の方位角および現在位置からウェイポイントＷｐｔまでの距離を示すことができる。ウェイポイントＷｐｔは、ナビゲーションにおける経路上の地点情報であり、例えば、記憶部５に予め登録された位置である。例えば、ユーザーが出張した場合に、電子時計Ｗは、ユーザーの操作によって、ユーザーの宿泊地となるホテルの位置をウェイポイントＷｐｔに登録する。そして、ユーザーがホテルから外出し、ホテルに戻ろうとする場合に、電子時計Ｗは、コンパスモードによって、ウェイポイントＷｐｔであるホテルの位置の方位角および現在位置からホテルの位置までの距離を示すことができる。
さらに、第２変形例では、現在位置からウェイポイントＷｐｔまでの距離の表示可能な範囲を設定することが可能である。表示可能な範囲を、以下、「レンジ」と称する。より具体的には、第２変形例では、電子時計Ｗは、ウェイポイントＷｐｔまでの距離のレンジを、０ｍ以上１０ｋｍ未満の第１レンジ、０ｍ以上１００ｋｍ未満の第２レンジ、０ｍから１０００ｋｍ未満の第３レンジのいずれかに設定することが可能である。
【０１３９】
図１７に、第２変形例における電子時計Ｗの平面図を示す。以下に示す要素については、説明の省略のため、特に記載がない場合、第２変形例に関する要素であるとする。図１７では、領域Ｒｅｇ１を拡大した拡大領域ＥｎＲｅｇ１を示す。
【０１４０】
拡大領域ＥｎＲｅｇ１に示すように、表示部１０は、７時側情報表示部７０を有する。７時側情報表示部７０には、文字板１０ａの一部が含まれる。
【０１４１】
７時側情報表示部７０は、目盛り７１を有する。目盛り７１には、センター指針１３が指示可能な複数の１０のべき乗数が示されている。具体的には、目盛り７１には、複数の１０のべき乗数を示す数字として、数字「１００」、数字「１０００」、および数字「１００００」が配置されている。以下、目盛り７１に示されている１０のべき乗数を、「レンジ値」と称する。センター指針１３が第１レンジ値「１００」を指示する場合、７時側情報表示部７０は、現在のレンジが第１レンジであることを示す。センター指針１３が第２レンジ値「１０００」を指示する場合、７時側情報表示部７０は、現在のレンジが第２レンジであることを示す。センター指針１３が第３レンジ値「１００００」を指示する場合、７時側情報表示部７０は、現在のレンジが第３レンジであることを示す。
以下では、説明の簡略化のため、第１レンジの次のレンジを第２レンジとし、第２レンジの次のレンジを第３レンジとし、第３レンジの次のレンジを第１レンジとする。
【０１４２】
目盛り７１内の数字は、レンジを設定することに用いられるため、計測結果を示すことに用いられず、かつ、時刻に関しない。従って、目盛り７１内の数字は、白色またはオレンジ色のいずれも可能である。第２変形例では、目盛り７１内の数字は、オレンジ色である。
【０１４３】
図１７の例では、センター指針１３は、数字「１００」を指示しているため、現在のレンジが、第１レンジであることを示す。現在のレンジが第１レンジである場合、目盛り３１ａの各数字は、数値表示短針３２に対して「ｋｍ」の一の位の桁の値として使用され、数値表示長針３３に対して「ｍ」の百の位の桁の値として使用される。同様に、現在のレンジが第２レンジである場合、目盛り３１ａの各数字は、数値表示短針３２に対して「ｋｍ」の十の位の桁の値として使用され、数値表示長針３３に対して「ｋｍ」の一の位の桁の値として使用される。同様に、現在のレンジが第３レンジである場合、目盛り３１ａの各数字は、数値表示短針３２に対して「ｋｍ」の百の位の桁の値として使用され、数値表示長針３３に対して「ｋｍ」の十の位の桁の値として使用される。
【０１４４】
Ｄ．２．１．コンパスモードの概要
コンパスモードでは、電子時計Ｗは、真北の方位、ならびに、ウェイポイントＷｐｔのまでの方位および距離を示すことができる。動作モードをコンパスモードに設定している場合に、表示部１０は、３軸磁気センサー３によって計測された磁北の方位に基づいて、センター指針１３が真北を向くようにセンター指針１３を制御する。
【０１４５】
さらに、表示部１０は、小秒針４１の向きによってウェイポイントＷｐｔの方位を示す。さらに、表示部１０は、数値表示短針３２および数値表示長針３３が指示する数値によってウェイポイントＷｐｔの距離を示す。
【０１４６】
Ｄ．２．２．第２変形例にかかる制御部６の構成
図１８に、制御部６の構成図を示す。制御部６は、記憶部５に記憶されたプログラムを読み取り実行することにより、表示制御部６１と、昇降度算出部６２と、気圧傾向算出部６３と、方位算出部６５と、レンジ設定部６６と、現在位置算出部６７とを実現する。以下、コンパスモードについて、制御部６の構成を説明する。
【０１４７】
Ｄ．２．２．１．コンパスモードにおける制御部６の構成
コンパスモードにおいて、レンジ設定部６６は、レンジを設定する。具体的には、レンジ設定部６６は、記憶部５から現在のレンジを取得する。現在のレンジが設定されていない場合、レンジ設定部６６は、記憶部５に記憶されたレンジの初期値を取得する。レンジ設定部６６は、取得したレンジを表示制御部６１に出力する。表示制御部６１は、取得したレンジのレンジ値を示すように、センター指針１３を制御する。
次に、レンジ設定部６６は、操作ボタンＡの所定時間以上の押下操作の回数に応じて、レンジを設定する。例えば、レンジ設定部６６は、操作ボタンＡの所定時間以上の押下操作が１回あった場合、レンジを、現在のレンジの次のレンジに設定する。レンジを設定した場合、レンジ設定部６６は、設定後のレンジを表示制御部６１に出力する。表示制御部６１は、設定後のレンジのレンジ値を示すように、センター指針１３を制御する。
【０１４８】
現在位置算出部６７は、ＧＰＳレシーバー２から衛星信号を取得し、取得した衛星信号に基づいて現在位置の座標を算出する。現在位置算出部６７は、算出した現在位置の座標を、表示制御部６１に出力する。
【０１４９】
表示制御部６１は、記憶部５に予め登録された位置の座標と、現在位置算出部６７が算出した現在位置の座標とから、現在位置からウェイポイントＷｐｔまでの距離およびウェイポイントＷｐｔの方位角を算出する。
【０１５０】
表示制御部６１は、現在位置からウェイポイントＷｐｔまでの距離を、現在のレンジ値で除した第１値に応じて、数値表示短針３２および数値表示長針３３が目盛り３１ａの数値を指示するように制御する。表示制御部６１の制御により、数値表示短針３２および数値表示長針３３は、第１値に応じて、目盛り３１ａの数値を指示する。具体的には、表示制御部６１は、第１値の十の桁の値を数値表示短針３２で指示し、第１値の一の桁の値を数値表示長針３３で指示する。例えば、算出した距離が１２００ｍであり、現在のレンジ値が「１００」であるとする。この場合、１２００を１００で除した第１値は１２であるため、表示制御部６１が数値表示短針３２および数値表示長針３３を制御することにより、数値表示短針３２は「１」を指示し、数値表示長針３３は「２」を指示する。
また、算出した方位角は、グローバル座標系におけるウェイポイントＷｐｔの方位角である。従って、表示制御部６１は、方位算出部６５が算出した真北を用いて電子時計Ｗのローカル座標系におけるウェイポイントＷｐｔの方位角に変換する。表示制御部６１は、小秒針４１の向きによって、変換した方位角を示すように小秒針４１を制御する。
【０１５１】
Ｄ．２．３．動作モードのフローチャート
コンパスモードについて、具体的なフローチャートを用いて説明する。
【０１５２】
Ｄ．２．３．１．コンパスモードのフローチャート
図１９に、コンパスモードのフローチャートを示す。ユーザーにより操作ボタンＡが何度か押下されてモード指針２１が文字列２３ｃを指示する場合に、電子時計Ｗは、動作モードをコンパスモードに設定する。制御部６は、動作モードをコンパスモードに設定している場合に、竜頭Ｄの一段引き出し操作を受け付ける（ステップＳ３１）。表示制御部６１は、竜頭Ｄの引き出し操作を受け付けると、現在のレンジのレンジ値を指示するように、センター指針１３を制御する（ステップＳ３２）。
【０１５３】
制御部６は、操作ボタンＡの所定時間以上の押下操作を検出したか否かを判断する（ステップＳ３３）。操作ボタンＡの所定時間以上の押下操作を検出した場合（ステップＳ３３：Ｙｅｓ）、表示制御部６１は、次のレンジのレンジ値を指示するように、センター指針１３を制御する（ステップＳ３４）。ステップＳ３４の処理後、または、操作ボタンＡの所定時間以上の押下操作を検出していない場合（ステップＳ３３：Ｎｏ）、制御部６は、竜頭Ｄの押し込み操作を検出したか否かを判断する（ステップＳ３５）。竜頭Ｄの押し込み操作を検出していない場合（ステップＳ３５：Ｎｏ）、制御部６は、処理をステップＳ３３に戻す。
【０１５４】
一方、竜頭Ｄの押し込み操作を検出した場合（ステップＳ３５：Ｙｅｓ）、レンジ設定部６６は、センター指針１３が現在指示しているレンジ値のレンジを、現在のレンジとして設定する（ステップＳ３６）。次に、制御部６は、操作ボタンＢの所定時間以上の押下操作を受け付ける（ステップＳ３７）。操作ボタンＢの所定時間以上の押下操作を受け付けると、現在位置算出部６７は、現在位置の座標の算出を開始し、方位算出部６５は、真北の方位の算出を開始する。そして、現在位置算出部６７は、現在位置の座標を算出する（ステップＳ３８）。また、方位算出部６５は、３軸磁気センサー３が計測した地磁気の方向に基づいて、真北の方位を算出する（ステップＳ３９）。表示制御部６１は、真北の方位を示すように、センター指針１３を制御する（ステップＳ４０）。
【０１５５】
そして、表示制御部６１は、現在位置の座標および記憶部５に記憶されたウェイポイントＷｐｔの座標に基づいて、現在位置からウェイポイントＷｐｔまでの距離を算出する（ステップＳ４１）。さらに、表示制御部６１は、現在位置の座標、ウェイポイントＷｐｔの座標、および、真北の方位に基づいて、電子時計Ｗのローカル座標系におけるウェイポイントＷｐｔの方位角を算出する（ステップＳ４２）。表示制御部６１は、設定したレンジに応じて、算出した距離を示すように、数値表示短針３２および数値表示長針３３を制御する（ステップＳ４３）。また、表示制御部６１は、ウェイポイントＷｐｔの方位角を示すように、小秒針４１を制御する（ステップＳ４４）。ステップＳ４４の処理終了後、制御部６は、一連の処理を終了する。コンパスモードにおける数値表示短針３２、数値表示長針３３、センター指針１３、および小秒針４１の向きについて、図２０を用いて説明する。
【０１５６】
図２０に、コンパスモードにおける指針の向きの一例を示す。ステップＳ４０の処理により、センター指針１３は、真北の方位を指示する。また、ステップＳ４３の処理によって数値表示短針３２および数値表示長針３３は、算出した距離Ｌを示す。また、ステップＳ４４の処理によって、小秒針４１は、算出した方位角ψを示す。
【０１５７】
Ｄ．２．４．第２変形例の効果
以上示したように、数値表示短針３２および数値表示長針３３は、現在位置からウェイポイントＷｐｔまでの距離を現在のレンジ値で除した値に応じて、目盛り３１ａの数値を指示する。これにより、電子時計Ｗは、レンジを適切に変更することにより、レンジを変更しない場合に比べて、目盛り３１ａを用いて表示可能な数値を増やすことが可能になる。例えば、現在位置からウェイポイントＷｐｔまでの距離が１０ｋｍ以上１００ｋｍ未満であり、レンジ値が「１００」に設定されていると想定する。この想定では、レンジ値が「１００」であり表示可能な数値を超えているため、数値表示短針３２および数値表示長針３３は、目盛り３１ａの数字「０」を指示し、正しい距離を指示することができない。そこで、電子時計Ｗは、ユーザーの操作によってレンジ値を「１００００」に設定することにより、数値表示短針３２および数値表示長針３３は、現在位置からウェイポイントＷｐｔまでの距離に応じた目盛り３１ａの適切な数字を指示することが可能になる。
ユーザーは、数値表示短針３２および数値表示長針３３が指示する数値を閲覧して、例えば、ウェイポイントＷｐｔまで歩いて移動するか、タクシーで移動するかを適切に判断することが可能になる。
【０１５８】
Ｄ．３．その他の変形例
第２変形例において、センター指針１３が指示可能な１０のべき乗数として、数字「１００」、数字「１０００」および数字「１００００」が７時側情報表示部７０内に配置されたが、これらの数字に限らない。例えば、１０のべき乗数は、１０の０乗である数字「１」でもよいし、１０の−１乗である数字「０．１」でもよい。また、７時側情報表示部７０内には、数字「１００００」の代わりに、数字「１０５」または「１．０Ｅ５」というように指数表現された数字が配置されてもよい。
【０１５９】
第１実施形態において、仮想直線Ｌ１の３時方向を、ユーザーの進行方向とみなしていたが、仮想直線Ｌ１の９時方向をユーザーの進行方向とみなしてもよい。この場合、図７の例では、数値表示短針３２は、目盛り３１ａの数字「８」と数字「９」との間を向く。さらに、ユーザーの進行方向を数値表示短針３２の向きによって示しているが、数値表示長針３３の向きによってユーザーの進行方向を示してもよい。
【０１６０】
第１実施形態では、第２指針の例が数値表示短針３２であり、第１指針の例が数値表示長針３３であった。また、第２実施形態では、第２指針の例が時針１１であり、第１指針の例が分針１２であった。平面視において、第１指針の指針軸および第２指針の指針軸は重ならなくてもよいが、第１指針の指針軸および第２指針の指針軸がより近くに位置するほど１つの線分とみなしやすくなる。従って、第１指針の指針軸および第２指針の指針軸は近くに位置するほど好ましく、重なることが最も好ましい。
【０１６１】
また、第１実施形態、第２実施形態および第３実施形態において、第１指針と第２指針とを１つの線分とみなしたが、第１指針または第２指針のいずれか一方で勾配θを表示してもよい。または、第２指針の向きが第１指針の向きと同一、言い換えれば、第２指針が第１指針に重なるようにして、勾配θを表示してもよい。ただし、第２指針が第１指針の指示する方向と反対の方向を指示する場合と比較すると、第１指針と第２指針とによってみなされる１つの線分の長さが短くなる。線分が長いほど、ユーザーが視覚的に把握しやすくなるため、第１実施形態、第２実施形態および第３実施形態で示したように、第２指針が第１指針の指示する方向と反対の方向を指示することが好ましい。
【０１６２】
以上の各形態において、高度差算出部６４１は、高度差を、気圧に基づいて算出したが、これに限らなく、例えば、以下に示す２つの方法がある。第１方法として、高度差算出部６４１は、ＧＰＳレシーバー２が得た衛星信号から、計測開始位置の座標と現在位置の座標とを算出し、算出した位置同士の高さ方向の距離を高度差として算出する。第２方法として、高度差算出部６４１は、３軸加速度センサー７から得られる３軸方向の加速度のうち高さ方向の加速度を抽出し、抽出した加速度に２階積分を施すことにより高度差を算出する。
【０１６３】
以上の各形態において、第２位置の一例は、電子時計Ｗの現在位置であると説明したが、第２位置は、電子時計Ｗの現在位置に限らない。第２位置は、例えば、過去の第１時点において、第１時点における電子時計Ｗの現在位置を、第２位置として設定した位置でもよい。
【０１６４】
以上の各形態において、目盛り４２ｐ、目盛り４２ｍ、および目盛り４２ｚは、昇降度を表示するために用いられたが、他の数値を表示するために用いてもよい。例えば、目盛り４２ｐ、目盛り４２ｍ、および目盛り４２ｚは、標高または気温を表示してもよい。標高を表示する場合、１０時側情報表示部４０は、目盛り４２ｐ、目盛り４２ｍ、および目盛り４２ｚを対数目盛りとしても用いてもよい。例えば、図１において、目盛り４２ｐの数字「１」は、１０ｍを示し、目盛り４２ｐの数字「２」は、１００ｍを示し、目盛り４２ｐの数字「３」は、１０００ｍを示し、目盛り４２ｐの数字「４」は、１００００ｍを示し、目盛り４２ｐの数字「５」は、１０００００ｍを示してもよい。同様に、目盛り４２ｍの数字「１」は、−１０ｍを示し、目盛り４２ｍの数字「２」は、−１００ｍを示すようにしてもよい。
【０１６５】
以上の各形態において、昇降度の単位は、ｍ／秒であったが、フィート／秒でもよい。
【０１６６】
以上の各形態において、目盛り４２ｐ、目盛り４２ｍ、および目盛り４２ｚには、数字「１」といったアラビア数字が配置されたが、これに限らない。目盛り４２ｐ、目盛り４２ｍ、および目盛り４２ｚには、例えば、ローマ数字または漢数字が配置されてもよい。
【０１６７】
以上の各形態において、目盛り４２ｚには、０であることを数字「０」が配置されていたが、数字「０」以外の記号が配置されていてもよい。例えば、目盛り４２ｚには、０であることを示す記号「・」でもよい。
【０１６８】
以上の各形態において、計測結果数字色および計測結果指針色は、白色であり、時刻記号色および時刻指針色は、オレンジ色であり、記号背景色は黒色であったが、これに限らない。具体的には、計測結果数字色と記号背景色との明度差が、時刻記号色と記号背景色との明度差より大きければ、計測結果数字色および時刻記号色は、どのような色でもよい。または、計測結果数字色と記号背景色との色差が、時刻記号色と記号背景色との色差より大きければ、計測結果数字色および時刻記号色は、どのような色でもよい。同様に、計測結果指針色と記号背景色との明度差が、時刻指針色と記号背景色との明度差より大きければ、計測結果指針色および時刻指針色は、どのような色でもよい。または、計測結果指針色と記号背景色との色差が、時刻指針色と記号背景色との色差より大きければ、計測結果指針色および時刻指針色は、どのような色でもよい。
例えば、計測結果数字色の明度と記号背景色の明度とが同一である場合、計測結果数字色と記号背景色との明度差と、時刻記号色と記号背景色との明度差とが同一となる。しかしながら、計測結果数字色の明度と記号背景色の明度とが同一であっても、計測結果数字色と記号背景色との色差が、時刻記号色と記号背景色との色差より大きければ、電子時計Ｗは、時刻より重要である計測結果の少なくとも一部を示す数字をユーザーがより見え易くすることが可能になる。
【０１６９】
以上の各形態において、表示部１０の形状は、円形であったが、円形に限らない。例えば、表示部１０の形状は、矩形でもよい。
【０１７０】
以上の各形態において、電子時計Ｗが有する操作ボタンの数は、上述した各形態における３つに限られず、３つより少なくてもよいし、３つより多くてもよい。また、電子時計Ｗが有する操作ボタンの配置は、上述した各形態における位置に限らない。
【０１７１】
上述した各形態において、６時側情報表示部２０、１０時側情報表示部４０、２時側情報表示部３０、および日にち表示部５０の位置は、上述した各形態における位置に限らない。また、上述した各形態において、６時側情報表示部２０、１０時側情報表示部４０、２時側情報表示部３０、日にち表示部５０の少なくとも１つがなくてもよい。
【０１７２】
以上の各形態において、直線距離算出部６４２、移動距離算出部６４３、および現在位置算出部６７は、ＧＰＳレシーバー２から衛星信号を取得するとしたが、直線距離算出部６４２、移動距離算出部６４３、および現在位置算出部６７は、ＧＰＳ以外の全地球航法衛星システム（ＧＮＳＳ：Global Navigation Satellite System）の測位用衛星やＧＮＳＳ以外の測位用衛星から衛星信号を取得してもよい。例えば、直線距離算出部６４２、移動距離算出部６４３、および、現在位置算出部６７は、ＷＡＡＳ（Wide Area Augmentation System）、ＥＧＮＯＳ(European
Geostationary-Satellite Navigation Overlay Service)、ＱＺＳＳ（Quasi Zenith Satellite System）、ＧＬＯＮＡＳＳ（GLObal
NAvigation Satellite System）、ＧＡＬＩＬＥＯ、ＢｅｉＤｏｕ（BeiDou
Navigation Satellite System）等の衛星測位システムのうち１つ、あるいは２つ以上のシステムの衛星から衛星信号を取得してもよい。
【０１７３】
本発明は、上述の電子時計Ｗを、上述に記載の電子時計Ｗの各部として機能させるように構成されたコンピュータープログラムまたは当該コンピュータープログラムを記録したコンピューター読み取り可能な記録媒体として捉えることもできる。記録媒体は例えば非一過性（non-transitory）の記録媒体であり、ＣＤ−ＲＯＭ等の光学式記録媒体の他、半導体記録媒体や磁気記録媒体等の公知の任意の記録媒体を含み得る。また、本発明は上述した各態様にかかる電子時計Ｗの制御方法としても特定される。
【符号の説明】
【０１７４】
１…発振回路、１０…表示部、１０ａ…文字板、１１…時針、１２…分針、１３…センター指針、１４…ダイヤルリング、１４ａ…目盛り、１４ｃ…目盛り、１５…ベゼル、１５ａ…目盛り、２０…６時側情報表示部、２２…目盛り、３０…２時側情報表示部、３１ａ…目盛り、３２…数値表示短針、３３…数値表示長針、４…気圧センサー、４０…１０時側情報表示部、４１…小秒針、４２ｚ…目盛り、４２ｐ…目盛り、４２ｍ…目盛り、４３…目盛り、４３ｍ…負符号、４３ｐ…正符号、６…制御部、６１…表示制御部、６２…昇降度算出部、６３…気圧傾向算出部、６４…勾配算出部、６４１…高度差算出部、６４２…直線距離算出部、６４３…移動距離算出部、６５…方位算出部、６６…レンジ設定部、６７…現在位置算出部、７０…７時側情報表示部、７１…目盛り、Ａ…操作ボタン、Ｂ…操作ボタン、Ｃ…操作ボタン、Ｄ…竜頭、Ｗ…電子時計。
【図１】
2019148542.tif 000003
【図２】
2019148542.tif 000004
【図３】
2019148542.tif 000005
【図４】
2019148542.tif 000006
【図５】
2019148542.tif 000007
【図６】
2019148542.tif 000008
【図７】
2019148542.tif 000009
【図８】
2019148542.tif 000010
【図９】
2019148542.tif 000011
【図１０】
2019148542.tif 000012
【図１１】
2019148542.tif 000013
【図１２】
2019148542.tif 000014
【図１３】
2019148542.tif 000015
【図１４】
2019148542.tif 000016
【図１５】
2019148542.tif 000017
【図１６】
2019148542.tif 000018
【図１７】
2019148542.tif 000019
【図１８】
2019148542.tif 000020
【図１９】
2019148542.tif 000021
【図２０】
2019148542.tif 000022